(57)【特許請求の範囲】
【請求項１】
把手部（１９ａ）の表面が錠筐体（１７）の表面と同一となるように格納される錠把手（１９）を備え、該錠把手（１９）の表面にシリンダ錠（２１）の鍵孔（２１ａ）が位置し、該シリンダ錠（２１）の解錠操作により、前記錠把手（１９）の把手部（１９ａ）が前記錠筐体（１７）より突出しするハンドルロック（１３）であって、ハンドルロック（１３）が取り付けられる扉表面板（１５）には錠筐体（１７）の後部が挿入される取付開口（３５）が形成されているハンドルロック（１３）において、
中央部に前記錠筐体（１７）が挿入される外形の取付穴（３３）を有し、該取付穴（３３）の内側に前記錠筐体（１７）を配置させて扉表面板（１５）に固定されるとともに、一端に直角前方向への折曲片（２３）を有し、他端に前記扉表面板（１５）の板面に対して延出する起立挿入片（２７）を備えたベース板（３）と、
一端に前記ベース板（３）の折曲片（２３）に形成されたスリット状の係合穴（２５）と互いに係合するフック状の係止片（３９）を有し、他端に前記ベース板（３）の起立挿入片（２７）に外挿される挿入穴（４１）が穿設され、前記錠筐体（１７）の表面に平行に取り付けられ、該表面に表出する前記錠把手（１９）及び鍵孔（２１ａ）を覆う覆板（５）と、
前記起立挿入片（２７）に係着され前記起立挿入片（２７）からの前記挿入穴（４１）の抜脱を阻止する施錠手段（７）と、
を具備し、
前記扉表面板（１５）における前記取付開口（３５）の周囲と、前記錠筐体（１７）の前縁外周に形成されたフランジ部（１７ａ）とによって、前記ベース板（３）の前記取付穴（３３）の周縁部分が挟着されて前記ベース板（３）が前記扉表面板（１５）に固定されることを特徴とするハンドルロックカバー。
【発明の詳細な説明】
【０００１】
【発明の属する技術分野】
本発明は、自動販売機等の扉に設けられる鍵孔付ハンドルロックを覆うハンドルロックカバーに関する。
【０００２】
【従来の技術】
自動販売機等に備えられる錠装置として、扉の把手を扉内に格納可能とし、この扉の開閉操作を可能又は不可能とすることで施解錠を行うハンドルロックがある。このハンドルロックとしては、例えば特許第２７０７４０６号公報に開示されている。
【０００３】
このハンドルロックは、扉表面に埋め込まれる錠筐体と、この錠筐体に格納される錠把手と、錠把手の表面に表出するシリンダ錠とからなる。そして、シリンダ錠に対し、鍵を用いることで、その鍵が正しい鍵である場合に、格納状態の錠把手が突出し、この錠把手を操作可能な状態にすることで、扉の開放が行えるものである。
【０００４】
【発明が解決しようとする課題】
しかしながら、上記した従来のハンドルロックは、鍵を使用するシリンダ錠、所謂メカニカル錠であり、錠把手に鍵孔が表出する構造とされるため、この鍵孔に対して異物を詰める等の悪戯をされる問題があった。
【０００５】
また、この鍵孔に対しては、所謂ピッキング等の不正解錠操作が行われたり、鍵孔にドリルを押し当て、シリンダ錠を破壊する等の行為の行われることがあり、その結果、錠把手が使用不能にされてしまうことがあった。
【０００６】
さらに、錠把手を格納させているロック機構が破壊され、錠筐体から錠把手を無理やり引き出す不正行為により、扉が開放されてしまうこともあった。
【０００７】
このように、従来のハンドルロックは、錠把手及び鍵孔が表出している構造のため、上記の不正行為が容易に行え、それにより施錠が解除されれば、自動販売機等の内部に収容されている金品が盗難されるなど、防犯性の低い欠点を有していた。
【０００８】
本発明は上記状況に鑑みてなされたもので、ハンドルロックを使用しないときには錠把手や鍵孔を表出させないハンドルロックカバーを提供し、もって、不正解錠操作やシリンダ錠破壊、或いは錠把手の不正な引き出しを防止して防犯性の向上を図ることを目的とする。
【０００９】
【課題を解決するための手段】
次に、上記の課題を解決するための手段を、実施の形態に対応する図面を参照して説明する。
この発明の請求項１記載のハンドルロックカバー１は、把手部１９ａの表面が錠筐体１７の表面と同一となるように格納される錠把手１９を備え、該錠把手１９の表面にシリンダ錠２１の鍵孔２１ａが位置し、該シリンダ錠２１の解錠操作により、前記錠把手１９の把手部１９ａが前記錠筐体１７より突出するハンドルロック１３であって、ハンドルロック１３が取り付けられる扉表面板１５には錠筐体１７の後部が挿入される取付開口３５が形成されているハンドルロック１３において、
中央部に前記錠筐体１７が挿入される外形の取付穴３３を有し、該取付穴３３の内側に前記錠筐体１７を配置させて扉表面板１５に固定されるとともに、一端に直角前方向への折曲片２３を有し、他端に前記扉表面板１５の板面に対して延出する起立挿入片２７を備えたベース板３と、
一端に前記ベース板３の折曲片２３に形成されたスリット状の係合穴２５と互いに係合するフック状の係止片３９を有し、他端に前記ベース板３の起立挿入片２７に外挿される挿入穴４１が穿設され、前記錠筐体１７の表面に平行に取り付けられ、該表面に表出する前記錠把手１９及び鍵孔２１ａを覆う覆板５と、
前記起立挿入片２７に係着され前記起立挿入片２７からの前記挿入穴４１の抜脱を阻止する施錠手段７と、を具備している。
【００１０】
このハンドルロックカバー１では、覆板５の一端がベース板３に係合され、覆板５を貫通した起立挿入片２７に、施錠手段７が係着されることにより、施錠手段７の解錠のみを条件に、覆板５が錠筐体１７の表面に平行に固定される。これにより、ハンドルロック１３を使用しないときには錠把手１９や鍵孔２１ａが覆板５によって覆われ、錠把手１９や鍵孔２１ａが表出することによる不正解錠操作やシリンダ錠破壊、或いは錠把手の不正な引き出しが行えなくなる。
【００１１】
また、請求項１のハンドルロックカバー１は、前記扉表面板１５における前記取付開口３５の周囲と、前記錠筐体１７の前縁外周に形成されたフランジ部１７ａとによって、前記ベース板３の前記取付穴３３の周縁部分が挟着されて前記ベース板３が前記扉表面板１５に固定されることを特徴としている。
【００１２】
このハンドルロックカバー１では、錠筐体１７の表面外周にフランジ部１７ａを有し、扉表面板１５に形成された取付開口３５に錠筐体１７が後部から挿入され、フランジ部１７ａが扉１１の取付開口３５の周縁に当接して取り付けられる構造の場合、錠筐体１７の後端をベース板３の取付穴３３に挿入した後、扉表面板１５の取付開口３５に挿入されて固定されることで、ベース板３の取付穴３３周縁が、扉表面板１５と、錠筐体１７のフランジ部１７ａとによって挟着され、ベース板３が他の固定手段を用いることなく、扉表面板１５に見栄え良く固定される。
【００１３】
【発明の実施の形態】
以下、本発明に係るハンドルロックカバーの好適な実施の形態を図面を参照して詳細に説明する。
図１は本発明に係るハンドルロックカバーの斜視図、図２は図１に示したハンドルロックカバーの分解斜視図、図３は図１に示したハンドルロックカバーの取り付けられた自動販売機の正面図、図４は錠筐体が覆板で覆われた状態の断面図、図５は覆板が取り除かれた状態の断面図、図６は施錠手段の例を示す斜視図である。
【００１４】
本実施の形態によるハンドルロックカバー１は、ベース板３と、覆板５と、施錠手段である南京錠７とからなる。
ハンドルロックカバー１は、例えば図３に示す自動販売機９等の扉１１に設けられる。この扉１１には錠装置であるハンドルロック１３が設けられる。
【００１５】
このハンドルロック１３は、図４に示すように、扉表面板１５に埋め込まれる錠筐体１７と、この錠筐体１７に格納される錠把手１９と、図３に示すように、錠把手１９の表面に鍵孔２１ａが表出するシリンダ錠２１とからなる。
【００１６】
ハンドルロック１３は、シリンダ錠２１に対し、図示しない鍵が用いられ、その鍵が正しい鍵である場合には、格納状態の錠把手１９が図５に示すように図示しない付勢手段にて突出され、突出したこの錠把手１９の把手部１９ａが操作されることにより、扉１１の開放操作を可能にしている。
【００１７】
ベース板３は、図２に示すように、略矩形状に形成され、一端（図２中下端）が直角に折り曲げられた折曲片２３となっている。
この折曲片２３には、係合部としてのスリット状の係合穴２５が形成される。
【００１８】
また、ベース板３の他端（図２中上端）には、折曲片２３と同方向に折り曲げられた起立挿入片２７が設けられている。この起立挿入片２７には、南京錠７の掛止杆２９が挿入される掛止孔３１が穿設されている。
【００１９】
ベース板３の中央部には上下に長い取付穴３３が形成されている。つまり、ベース板３は、この取付穴３３によって略矩形枠状となっている。
この取付穴３３は、錠筐体１７の縦断面形状と略一致して形成されることで、錠筐体１７が挿入可能となっている。
【００２０】
この実施の形態では、錠筐体１７の表面外周にフランジ部１７ａが形成されている。
錠筐体１７は、扉表面板１５に形成された図４に示す取付開口３５に、後部から挿入され、フランジ部１７ａが取付開口３５の表面周縁に当接され、その状態で図示しない固定ネジ等の固定手段によって扉１１の裏面側から固定される。
【００２１】
なお、ベース板３の取付手順としては、錠筐体１７が一旦、取付開口３５から前方へ抜き取られ、この錠筐体１７の後端が取付穴３３に挿入された後、再び錠筐体１７が扉表面板１５の取付開口３５に挿入されて固定されることで、取付穴３３の周縁が、扉表面板１５と、錠筐体１７のフランジ部１７ａとに挟着されて見栄え良く扉表面板１５に固定されるようになっている。従って、他の固定手段を用いることなくベース板３は固定される。
【００２２】
一方、覆板５は、図２に示すようにベース板３と略同一外形の略矩形状に形成され、一端に、係止部としての側面視が略半円形状となるフック状の係合片３９を有している。
【００２３】
この係合片３９は、上記したベース板３の係合穴２５に先端から挿入されるようになっている。つまり、覆板５は、図２に示す向きで、係合片３９の先端を係合穴２５に挿入し、係合穴２５を中心に、図２の下端側を上方へ回転させることにより、図１の状態となって、係合片３９が係合穴２５から離脱不能に互いに係合されるようになっている。
【００２４】
覆板５の他端には、挿入穴４１が穿設されている。この挿入穴４１は、スリット状に形成され、図１に示すように、ベース板３の起立挿入片２７が挿入可能となっている。つまり、覆板５は、ベース板３の係合穴２５に係合片３９を係合させるとともに、挿入穴４１にベース板３の起立挿入片２７を貫通させて錠筐体１７の表面に平行に取り付けられる。
【００２５】
これにより、錠筐体１７の表面に表出する錠把手１９及び鍵孔２１ａを覆えるようになっている。
また、覆板５の上端となる一端縁は、折曲片４３となって、係合片３９と反対方向に折り曲げられ、覆板５がベース板３に取り付けられた状態で、図１に示すように、錠筐体１７の表出上部を覆うようになっている。
【００２６】
施錠手段としての南京錠７は、施解錠を行う鍵４５を有している。
この南京錠７としては、一般的な市販品を使用することができる。
南京錠７は、覆板５を貫通した図１に示す起立挿入片２７に、掛止杆２９が係着されることで（図４参照）、起立挿入片２７からの覆板５の抜脱を阻止する。
【００２７】
従って、覆板５は、係合片３９が係合穴２５に係合し、挿入穴４１を貫通した起立挿入片２７に南京錠７が係着されることで、錠筐体１７の表面と平行に取り付けられ、南京錠７を係着解除する以外には取り外しができないようになっている。
【００２８】
一方、覆板５を取り外すには、先ず、鍵４５を用いて南京錠７の起立挿入片２７に対する係着を解除する。
これにより、覆板５は、係合穴２５と係合片３９との係合部を支点として、上部が下側へ向けて回転可能になる。
【００２９】
覆板５は、この回転により、挿入穴４１から起立挿入片２７が抜脱される。
【００３０】
覆板５は、さらに回転され、上下が反転された図２の状態になると、係合穴２５から係合片３９が離脱可能となり、ベース板３から分離可能になる。
【００３１】
そして、覆板５の取り外されたハンドルロックカバー１は、ベース板３の中央部で図２に示すように、錠把手１９及び鍵孔２１ａを表出させる。
これにより、鍵孔２１ａに対する解錠操作が可能となり、シリンダ錠２１が解錠されることによって、図５に示すように、錠把手１９が前方に付勢手段にて突出し、この錠把手１９の把手部１９ａが回転操作されることで、扉１１の開放が可能になる。
【００３２】
扉１１を開放することにより、自動販売機９に対する商品補充や金銭の回収、メンテナンス等の作業が完了したなら、扉１１が閉じられ、錠把手１９が錠筐体１７に再び押し込まれる。
【００３３】
その後、上記と同様にして、覆板５の係合片３９がベース板３の係合穴２５に挿入され、覆板５を回転させることにより、挿入穴４１に起立挿入片２７を貫通させ、その起立挿入片２７に南京錠７を係着することにより、覆板５が錠筐体１７の表面に平行に取り付けられ、ハンドルロック１３が隠蔽される。
【００３４】
このように、上記のハンドルロックカバー１によれば、覆板５の一端がベース板３に係合され、覆板５を貫通した起立挿入片２７に、南京錠７が係着されることにより、南京錠７の解錠のみを条件に、覆板５が錠筐体１７の表面に平行に固定される。
【００３５】
これにより、ハンドルロック１３を使用しないときには錠把手１９や鍵孔２１ａが覆板５によって覆われ、錠把手１９や鍵孔２１ａが表出することによる不正解錠操作やシリンダ錠破壊、或いは錠把手１９の不正な操作が防止される。
【００３６】
上記の実施の形態では、施錠手段として南京錠７を用いる場合を例に説明したが、施錠手段は、この他、図６（ａ）に示すボタン式の施錠装置７Ａ、又は図６（ｂ）に示すダイヤル式の施錠装置７Ｂ等を用いることができる。
これらのボタン式又はダイヤル式の施錠装置を用いれば、鍵４５を用いずに特定の番号合わせのみにより施錠手段の解錠が行えることとなり、煩雑な鍵４５の管理をなくすことができる。
【００３７】
【発明の効果】
以上詳細に説明したように、本発明に係るハンドルロックカバーによれば、扉表面板に固定されるベース板と、このベース板に対し一端が係合され他端がベース板の起立挿入片に貫通される覆板と、起立挿入片に係着される施錠手段とを備えたので、覆板の一端をベース板に係合させ、覆板を貫通した起立挿入片に、施錠手段を係着することにより、施錠手段の解錠のみを条件に、覆板を錠筐体の表面に固定することができる。
これにより、ハンドルロックを使用しないときには錠把手や鍵孔を覆うことができ、ハンドルロックの不正解錠操作やシリンダ錠破壊、或いは錠把手の不正な引き出しを防止して防犯性を向上させることができる。
【００３８】
さらに、扉表面板と、錠筐体のフランジ部とによって取付穴の周縁が挟着されてベース板が扉表面板に固定される構成とすることで、ベース板が他の固定手段を用いることなく、扉表面板に見栄え良く固定されることとなる。
【図面の簡単な説明】
【図１】  本発明に係るハンドルロックカバーの斜視図である。
【図２】  図１に示したハンドルロックカバーの分解斜視図である。
【図３】  図１に示したハンドルロックカバーの取り付けられた自動販売機の正面図である。
【図４】  錠筐体が覆板で覆われた状態の断面図である。
【図５】  覆板が取り除かれた状態の断面図である。
【図６】  施錠手段の例を示す斜視図である。
【符号の説明】
１…ハンドルロックカバー
３…ベース板
５…覆板
７…施錠手段（南京錠）
１３…ハンドルロック
１５…扉表面板
１７…錠筐体
１７ａ…フランジ部
１９…錠把手
１９ａ…把手部
２１…シリンダ錠
２１ａ…鍵孔
２５…係合部（係合穴）
２７…起立挿入片
３３…取付穴
３９…係止部（係合片）
４１…挿入穴
【図１】
0004080175.tif 000002
【図２】
0004080175.tif 000003
【図３】
0004080175.tif 000004
【図４】
0004080175.tif 000005
【図５】
0004080175.tif 000006
【図６】
0004080175.tif 000007